(57)【特許請求の範囲】
【請求項１】
患者に薬剤の点滴を制御して行う少なくとも一つの点滴コントローラ端末と、医局端末と、前記医局端末と前記点滴コントローラ端末との間で情報の通信をつかさどる通信手段とを備えた点滴通信システムで、前記医局端末は前記薬剤を識別する薬剤ＩＤ情報、前記薬剤の全液量、前記全液量の点滴を行う全点滴時間、単位液量当たりの滴数等の点滴を行う情報を含む点滴情報と、前記点滴コントローラ端末を識別する点滴コントローラ端末ＩＤ情報と、前記患者を識別する患者ＩＤ情報と、を入力する手段と前記入力された情報を記憶する記憶手段と、前記記憶された情報を着脱可能な記憶媒体に記憶する記憶手段を備え、前記点滴コントローラ端末は、前記点滴情報を入力できるマニュアル入力部材を備え、前記記憶媒体を装着する装着手段を備え、前記記憶媒体に記憶された前記薬剤ＩＤ情報、前記点滴コントローラ端末ＩＤ情報、前記患者ＩＤ情報を、それぞれ薬剤を収容した容器に付されたＩＤ情報媒体と、前記点滴コントローラ端末に取り付けられたＩＤ情報媒体と、患者が装着したＩＤ情報媒体とをそれぞれ照合する照合手段を備え、照合した結果、前記薬剤ＩＤ情報と、薬剤を収容した容器に記録ないしは装着されたＩＤ情報媒体のＩＤ情報とが、前記点滴コントローラ端末ＩＤ情報と前記点滴コントローラ端末に取り付けられたＩＤ情報媒体のＩＤ情報とが、前記患者ＩＤ情報と患者が装着したＩＤ情報媒体のＩＤ情報とがそれぞれ所定の関係にあると判定したとき、点滴動作を開始するよう制御する制御手段を備え、前記点滴コントローラ端末に前記記憶媒体が装着されているときは、前記マニュアル入力部材の入力を無効にし、前記記憶手段が取り外されたときは前記マニュアル入力部材の入力を有効にする手段を備えた点滴通信システム。
【請求項２】
前記点滴コントローラ端末は点滴途中の点滴経過情報を、前記通信手段を介して前記医局端末に送信すると共に別途配置された携帯端末等の通信端末に送信し、前記点滴コントローラ端末に点滴の異常が生じたことを検知した時に前記医局端末ないしは前記通信端末から前記点滴コントローラ端末に警告信号を送信し、前記通信端末から前記点滴コントローラ端末への前記警告信号の送信は、前記医局端末が前記点滴コントローラ端末に送信しないときは前記通信端末の送信を可能にした請求項１に記載の点滴通信システム。
【発明の詳細な説明】
【技術分野】
【０００１】
本発明は、医師が患者に行う点滴に関して入力した情報を着脱可能なメモリに格納し、そのメモリを点滴装置に装着し、その情報に基づいて患者に対して点滴を行い、点滴の状態を医師のいる医局に情報を伝達する点滴通信システムに関する。
【背景技術】
【０００２】
医師と離れた位置にいる看護士が患者に薬液を注入する場合に、医師が現場の看護士がどのような医療行為を行っているかをリアルタイムで確認できず、未然に医療の過誤を防ぐ方法が不十分であった。
【０００３】
また、医師が点滴情報を設定しても、看護士が、投与する薬品の量、点滴間隔、点滴時間等をセットした場合に、患者に間違って薬剤を投薬するような事故が起こる危険性があった。さらに多忙な医師、薬剤師、看護士が患者の傍で点滴に関する情報を設定するときは多忙であるゆえに落ち着いて設定できないので誤設定する危険性もあった。
【０００４】
この種の装置の改良として、図１５に示す特許文献１のように医師がキーボード５０で患者を識別する患者、薬剤名、量を入力すると、第１端末装置５１、ネットワーク回線５２を介してサーバー５３より患者を示す患者コード、薬剤を示す薬剤コード等が第１端末装置５１を介して発券機５４より出力される。カルテ５５に患者バーコードＡを投与する医薬品の種類及びその量を示すバーコード５６を貼付する。
【０００５】
薬剤師が医薬品を用意する際にカルテ５５に付された患者バーコードＡ、バーコード５６及び医薬品の容器５７に付されたバーコード５８をＩＤ情報媒体読取兼送信装置５９で読み取り、第２の端末装置６０によりサーバー５３のデータベースを検索して両者の内容を比較する。さらに患者６１のベッドの近傍に設けられた患者バーコードＢを携帯端末装置６２で読み取り、患者バーコードＡと患者バーコードＢを比較し患者が一致しているか否かを判断する装置が開示されている。
【先行技術文献】
【特許文献】
【０００６】
【特許文献１】特開２００１−３５７１３２号公報
【発明の概要】
【発明が解決しようとする課題】
【０００７】
特許文献１の装置では医師が患者情報と薬剤情報をパソコンで打ち込んで印刷したバーコードをカルテに貼付し、その患者に関するバーコードおよび薬剤に関するバーコードを読み取り、実際の患者と指定した薬剤のバーコードがカルテのバーコードと一致しているかどうかを判別している。しかしカルテに貼付されたバーコードを現場で読み取るには、カルテが曲がっていたり、汚れていたりして誤読の可能性があり、間違って薬剤を投与する危険性があった。
【０００８】
また、患者情報と薬剤情報について述べられているが、点滴経過情報についても正しく点滴が行われているかについては言及されていない。また前述したように患者の傍で点滴量とか点滴時間等の数値を設定することは多忙な医師や看護婦や看護士にとって大変面倒なことであり、誤設定の危険性があった。
【０００９】
本発明は、このような従来の構成が有していた問題を解決しようとするものであり、確実な情報入力をすることのできる装置を提供することを目的とするものである。
【課題を解決するための手段】
【００１０】
本発明の請求項１は、患者に薬剤の点滴を制御して行う少なくとも一つの点滴コントローラ端末と、医局端末と、前記医局端末と前記点滴コントローラ端末との間で情報の通信をつかさどる通信手段とを備えた点滴通信システムで、前記医局端末は前記薬剤を識別する薬剤ＩＤ情報、前記薬剤の全液量、前記全液量の点滴を行う全点滴時間、単位液量当たりの滴数等の点滴を行う情報を含む点滴情報と、前記点滴コントローラ端末を識別する点滴コントローラ端末ＩＤ情報と、前記患者を識別する患者ＩＤ情報と、を入力する手段と前記入力された情報を記憶する記憶手段と、前記記憶された情報を着脱可能な記憶媒体に記憶する記憶手段を備え、前記点滴コントローラ端末は、前記点滴情報を入力できるマニュアル入力部材を備え、前記記憶媒体を装着する装着手段を備え、前記記憶媒体に記憶された前記薬剤ＩＤ情報、前記点滴コントローラ端末ＩＤ情報、前記患者ＩＤ情報を、それぞれ薬剤を収容した容器に付されたＩＤ情報媒体と、前記点滴コントローラ端末に取り付けられたＩＤ情報媒体と、患者が装着したＩＤ情報媒体とをそれぞれ照合する照合手段を備え、照合した結果、前記薬剤ＩＤ情報と、薬剤を収容した容器に記録ないしは装着されたＩＤ情報媒体のＩＤ情報とが、前記点滴コントローラ端末ＩＤ情報と前記点滴コントローラ端末に取り付けられたＩＤ情報媒体のＩＤ情報とが、前記患者ＩＤ情報と患者が装着したＩＤ情報媒体のＩＤ情報とがそれぞれ所定の関係にあると判定したとき、点滴動作を開始するよう制御する制御手段を備え、前記点滴コントローラ端末に前記記憶媒体が装着されているときは、前記マニュアル入力部材の入力を無効にし、前記記憶手段が取り外されたときは前記マニュアル入力部材の入力を有効にする手段を備えた点滴通信システムを提供することにある。
【００１１】
請求項２は、前記点滴コントローラ端末は点滴途中の点滴経過情報を、前記通信手段を介して前記医局端末に送信すると共に別途配置された携帯端末等の通信端末に送信し、前記点滴コントローラ端末に点滴の異常が生じたことを検知した時に前記医局端末ないしは前記通信端末から前記点滴コントローラ端末に警告信号を送信し、前記通信端末から前記点滴コントローラ端末への前記警告信号の送信は、前記医局端末が前記点滴コントローラ端末に送信しないときは前記通信端末の送信を可能にした請求項１に記載の点滴通信システムを提供するものである。
【発明の効果】
【００１２】
上述したように、本発明の点滴通信システムは、患者に対して医師が指定した薬剤、点滴時間、液量等を適正に設定するに際し医師が入力した情報を格納した着脱可能な半導体メモリ等の記憶媒体を点滴コントローラ端末に装着し、前記半導体メモリ等の記憶媒体に格納された情報に基づいて点滴を行うので患者、薬剤の誤認等による医療ミスのなくすことができる。
【００１３】
また、医師が医局端末でセットした点滴情報を点滴コントローラ端末の側で患者に対して適しているかどうか、ミスがないかを再チェックする機能を持たせているので医師のケアレスミスを防ぐことができる。
【００１４】
さらに本発明の点滴通信システムは、着脱可能な半導体メモリを装着したときはマニュアル設定ができないようにしたのでマニュアル設定入力と着脱可能な半導体メモリ入力が同時にできないようにしたので誤動作が生じない。また、半導体メモリの着脱を解けば、またマニュアルに設定できるので、経過をみて調節できる特徴を有している。
【００１５】
さらに、本発明の点滴システムでは、前記着脱可能な半導体メモリを装着しなければマニュアルに医師が点滴情報を設定可能であり、使う立場にとって使い方にバリエーションがあって使用の選択の余地があるので使い勝手の良い点滴装置となることができる。
【００１６】
また、前記点滴コントローラ端末と前記医局端末以外の携帯端末等の通信装置で通信可能にしたので、医師または看護士が医局から離れても点滴情報の確認または点滴の途中経過などを知ることができ、異常事態が発生したことを検知した時に強制的に点滴を中止、または特別な措置をとることができる。
【図面の簡単な説明】
【００１７】
【図１】本発明の点滴通信システムの第１の実施例システム間接続概念図
【図２】本発明の点滴通信システムの点滴装置
【図３】本発明の点滴通信システムに用いる医局端末および携帯端末の画面
【図４】本発明の点滴通信システムのシステム間接続ブロック図
【図５】本発明に点滴通信システムに用いる滴下検出ユニット
【図６】本発明の点滴制御を示す図
【図７】患者ＩＤ情報読取図
【図８】薬剤容器の第１の実施例
【図９】第１実施例における医師が医局端末において入力した情報を医局端末から点滴コントローラに送信するフローチャート
【図１０】第１実施例の点滴コントローラ端末の動作を示すフローチャート
【図１１】異常検知時のフローチャート
【図１２】マニュアル入力時のフローチャート
【図１３】第２実施例の点滴コントローラ端末の動作を示すフローチャート
【図１４】薬剤容器の第２の実施例
【図１５】従来例
【発明を実施するための形態】
【実施例】
【００１８】
図１は本発明の点滴通信システムに用いるシステム間接続概念図を示す。
１は点滴コントローラ端末を示し、上部には薬剤容器１ｂ、下部に点滴を行う薬剤導入チューブ１ｃを備え、２は医局端末を示し、医師が患者に点滴を行う情報、薬剤を識別する薬剤ＩＤ情報、薬剤の全液量、全液量の点滴を行う全点滴時間、単位液量当たりの滴数等の点滴を行う情報を含む点滴情報と、点滴コントローラ端末を識別する点滴コントローラ端末ＩＤ情報と、患者を識別する患者ＩＤ情報を決定し、医師が主として操作する医局端末２であらかじめ入力された情報を格納した４で示す記憶媒体を、点滴コントローラ端末１に装着する。薬剤容器１ｂには後述するが指定された薬剤ＩＤ情報媒体が取り付けられている。６は通信部で、後述するように、送信部６Ｘと受信部６Ｙを備えている。７は医局端末２の通信部で、同じく後述するが、送信部７Ｘと受信部７Ｙを備えている。通信部７は、医局端末２で入力した点滴情報を点滴コントローラ１の通信部６に送信する役目を果たす。また、点滴中に事故が発生した時に特別に措置をとるべく情報を送信する。７Ａ、７Ｂは送受信可能な携帯端末である。看護士等が医局端末２から離れた場所で患者の点滴中の状態をみることができ、また非常時に点滴を停止または緊急発動などして特別の処置を行うことができる。
【００１９】
図２は本発明の点滴通信システムにおける、患者に薬剤を投入すべく点滴を行う点滴装置を示す。
薬剤容器１ｂは１ｄで示す支柱の上部に取り付けられた１ｅで示す薬剤容器取付部材に吊るされており、薬剤容器１ｂは１ｆで示す接続チューブを介して１ｇで示す点滴筒が接続されている。さらに患者に対して不図示の注入針を介して薬剤を投与する薬剤導入チューブ１ｃに接続されている。点滴コントローラ端末１は支柱１ｄとは１ｈで示すグリップで把持されている。
【００２０】
５は、記憶媒体４を挿入する記憶媒体挿入口を示し、８は点滴動作中に異常時に点灯する警告表示器、９は点滴コントローラ端末１においてそれぞれ設定する点滴情報を表示する表示部で、１０は押すと電源が投入される電源スイッチ、１１は点滴を開始する点滴開始スイッチ、１２は設定された点滴情報等の数値をリセットするリセットスイッチ、１３は設定した数値を増加させる数値アップスイッチ、１４は設定した数値を減少させる数値ダウンスイッチである。
【００２１】
１５は薬剤の液量をセットする薬剤量セット部材、１６は点滴を行う全点滴時間セット部材、１７は単位時間当たりの液量セット部材、１８は単位液量当たりの滴数セット部材、１９は点滴のための残液量を知るために押す残液量表示動作部材、２０は使用している電池の容量を知るために押す電池残量表示動作部材であり、２５は点滴コントローラ端末を識別する点滴コントローラ端末ＩＤ情報媒体を示す。
【００２２】
図３は、本発明の点滴通信システムに用いる医局端末２および携帯端末７Ａ、７Ｂの画面を示す。
２Ａで示す医局端末２の医局端末画面に、表形式で入力する情報を示している。
医局端末２で、入力する日付である「年月日／時刻」、患者の「担当医師名」、「担当看護士名」、点滴コントローラ識別番号である「点滴コントローラＩＤ」、患者ＩＤ情報である「患者ＩＤ」、薬剤ＩＤ情報である「薬剤ＩＤ」、点滴液を入れている全液量である「全液量」、全点滴時間である「点滴時間」、単位時間あたりの液量である「液量／単位時間」、単位液量当たりの滴数である「滴数／単位液量」を入力する。「残液量」は残り液量を示す。
【００２３】
点滴コントローラ端末１の点滴開始スイッチ１１をオンして点滴を開始した時に点滴の「点滴開始年月日／時刻」を点滴コントローラ端末１より医局端末２に報知して記録し、「残り時間」は全点滴時間から演算して記録される。
【００２４】
医局端末画面２Ａ上で２Ｂは点滴コントローラ端末１が予定外に点滴が止まった場合、フリーフローと言われている流れ放し状態が発生したような異常時に作動する警告表示を示し、２Ｃは液滴が検出される毎に点滅する表示を示す。医局端末２の情報入力部材３５を操作して入力された情報が点滴コントローラ端末１に情報が送信される。
【００２５】
この表は薬剤を、２種類投与するときに、例えば薬剤１の投与に続いて、薬剤２を投与する場合に、薬剤１、薬剤２の列にそれぞれの項目を入力する。もしも２液を混合する場合には新たに薬剤ＩＤが付与されて、１液と同じように入力される。
【００２６】
図４は、本発明の点滴通信システムのシステム間接続、すなわち、点滴コントローラ端末１、医局端末２、さらに例えば看護士が携帯用として持つ通信端末として携帯端末７Ａ、７Ｂとの間のシステム間の関係を示すブロック図である。この図では２ａは医局端末２の制御を統括する医局端末中央処理ユニットを示し、１ａは点滴コントローラ端末の制御を統括する点滴コントローラ端末中央処理ユニットを示し、医局端末中央処理ユニット２ａと点滴コントローラ端末中央処理ユニット１ａが可能状態になっていることを示す。
【００２７】
医局端末中央処理ユニット２ａの通信機能部に接続する送信端子７Ｘと点滴コントローラ端末中央処理ユニット１ａの通信機能部に接続する受信端子６Ｙ、点滴コントローラ端末中央処理ユニット１ａの通信機能部に接続する送信端子６Ｘと医局端末中央処理ユニット２ａの通信機能部に接続する受信端子７Ｙの間の通信は実線で示している。なお、各中央処理ユニットは図面上ではＣＰＵと表している。
【００２８】
点滴コントローラ端末中央処理ユニット１ａには、例えば点滴中に滴下が止まった時または液滴でなくて流れ放しのような、フリーフローのような事故のときに作動して表示する警告表示器８、点滴情報を表示する表示部９、電源を投入する電源スイッチ１０、点滴を開始する点滴開始スイッチ１１、設定された数値をリセットするリセットスイッチ１２が接続している。さらに、点滴情報の数値を設定する際に数値を増加させる数値アップスイッチ１３、数値を減少させる数値ダウンスイッチ１４、薬剤の全液量をセットする全液量セット部材１５、点滴を行う全点滴時間セット部材１６、単位時間当たりの液量セット部材１７、単位液量当たりの滴数セット部材１８、残液量を知るために押す残液量表示動作部材１９、使用している電池の容量を知るために押すと電池残量が表示される電池残量表示動作部材２０と接続する、それぞれの端子が点滴コントローラ端末中央処理ユニット１ａに電気的に接続されている。
【００２９】
医局端末中央処理ユニット２ａには、医局端末表示部２Ａをみながら情報数値入力部材３５でそれぞれ数値を入力し、患者ＩＤ情報、薬剤ＩＤ情報、液量、点滴時間、単位時間当たりの液量、単位液量当たりの滴数をセットするものである。セットした数値の変更は情報数値入力部材３５で数値を入力し直して新たな数値を入力する。入力した点滴情報を着脱可能な記憶媒体４に格納する。
【００３０】
携帯端末７Ａの携帯端末中央処理ユニット７Ａａに接続する送信端子７ＡＸ、受信端子７ＡＹおよび携帯端末７Ｂの携帯端末中央処理ユニット７Ｂａに接続する送信端子７ＢＸ、受信端子７ＢＹはそれぞれ医局端末中央処理ユニット２ａに接続する受信端子７Ｙ、送信端子７Ｘと、点滴コントローラ中央処理ユニット１ａに接続する受信端末６Ｙ、送信端子６Ｘと通信可能状態に配されている。
【００３１】
携帯端末７Ａ、７Ｂの画面は、先に述べたように、図３で示す医局端末画面２Ａと同一の画面が表示される。また、後述するように点滴コントローラ端末１に異常事態が発生したときに動作を停止しようとしても停止しないとき、または携帯端末７Ａ、７Ｂの送信端子７ＡＸ、７ＢＸから点滴コントローラ端末中央処理ユニット１ａに接続する受信端子６Ｙに特定の信号を送信して強制的に停止動作を行わせることができる。
【００３２】
図５は、本発明の点滴通信システムに用いられる液滴の滴下検出ユニット２８の構造の例として、発光素子の光を受ける受光素子に対して液滴が通過することにより、受光素子の受光を遮断する構造である。その一例と特公平７−４４９５２の図２を示し、液滴が点滴筒１ｇを通過してイメージセンサで検知される構造で説明する。
【００３３】
点滴筒１ｇの中を通過する液滴２８ａを読み取るための光源２８ｂ、液滴２８ａを検知するイメージセンサ２８ｃ、光源２８ｂの光を平行光にするためのレンズ２８ｄ、イメージセンサ２８ｃにタイミングパルスを送るタイミングパルス発生回路２８ｅ、イメージセンサ２８ｃで発生した信号をデジタル化して点滴流量算出処理を行う点滴流量演算処理部２８ｆが配されている。液滴２８ａが点滴筒1ｇの中で落下するときイメージセンサ２８ｃにより、その液滴２８ａが検出される。液滴２８ａが光電信号として検出される毎に点滴コントローラ中央制御ユニット１ａが液滴数をカウントし、図３に示す医局端末表示部２ＡのＤＲＩＰ表示が、液滴が検出される毎に点滅する。
【００３４】
ここで液滴２８ａが途中で滴下停止がされると、イメージセンサ２８ｃで光の遮断が検知されなくなり、また逆に液滴２８ａが滴状態でなくて連続的に流れると複数のタイミングで、イメージセンサで光の遮断が継続することが検知される。液滴２８ａが検出されなくなり、または流れ放しになったことを液滴検出ユニット２８が検出すると警告発生器８が作動して点滅表示を行うと共に、点滴コントローラ端末中央処理ユニット１ａの送信端子６Ｘを介して医局端末中央処理ユニット２ａの受信端子７Ｙに情報を伝達し、図３に示す医局端末表示部２ＡにＡＬＡＲＭ表示を行う。
【００３５】
図６は、本発明の点滴制御システムにおける点滴制御の一例を示す図である。
点滴コントローラ端末１において液滴２８ａが点滴筒１ｇに接続する薬剤導入チューブ１ｃの中を通って外に出され患者の体内に投入される。
液滴２８ａは前述したように発光素子２８ｂからの光を受けるイメージセンサ２８ｃの間を通ると、発光素子２８ｂからの光は液滴２８ａにより妨げられる。２８ｅはステップモータを示し、２８ｆで示すステップモータ２８ｅの軸は、２８ｇで示されているバネで薬剤導入チューブ１ｃに対して非押圧方向に付勢されている。点滴コントローラ端末中央処理ユニット１ａにより設定された液量、点滴時間、単位液量当たりの滴数等の複数の点滴情報によりステップモータ２８ｅの軸をステップ的に駆動して液滴を制御する点滴コントローラ端末中央処理ユニット１ａによりフリーフローのように液が点滴状態でなく流れ放し状態になったときにステップモータ２８ｅを作動させて薬剤導入チューブ１ｃを閉塞状態にする。
【００３６】
図７は、患者のＩＤ情報媒体を読み取る患者ＩＤ情報読取図を示す。
患者の手首には３７で示す腕輪をつけさせてその上に、３８で示す患者を識別するＩＤ情報媒体、ここではバーコードを、３９で示すＩＤ情報読取兼送信装置で、患者ＩＤ媒体３８を読み取ると共に点滴コントローラ端末１に送信し、医局端末２より送信された患者ＩＤと照合する。
【００３７】
図８は、薬剤容器１ｂに４２で示す薬剤ＩＤ情報媒体、ここではバーコードを表示した図を示す。この薬剤ＩＤ情報媒体を図５で示したＩＤ情報読取兼送信装置３９で読み取ると共に、点滴コントローラ端末１に送信して医局端末２より送信された薬剤ＩＤと照合する。
【００３８】
図９は、医局端末２で医師が点滴の際の点滴情報を、着脱可能な記憶媒体４、たとえば半導体メモリに入力する医局端末２の医局端末中央処理ユニット２ａのプログラムの内容を表すフローチャートを示す。
【００３９】
まず、Ｓ１で、点滴の際の点滴情報、すなわち患者ＩＤ情報、薬剤ＩＤ情報、薬剤量情報、点滴時間、単位時間あたりの液量情報、単位液量あたりの滴数情報等の、図３に示したような情報を、情報数値入力部材３５を使って入力開始する。Ｓ２で、入力が完了したと判断したときに、Ｓ３に進む。Ｓ３で情報を変更しないと判断した時はＳ４に進む。もし情報を変更するときはＳ１に戻り、Ｓ２、Ｓ３、Ｓ４に進む。Ｓ４で、点滴情報を医局端末２の中の記憶手段に格納する。Ｓ５に進み、着脱可能な記憶媒体４に情報を格納するか否かを判定し、Ｓ６に進み、格納するときは、医局端末２の情報入力部材３５を操作して着脱可能な記憶媒体４に情報を格納し、格納しないときはＳ７に進み、Ｓ８で終了する。
【００４０】
図１０は、点滴コントローラ端末１の点記憶媒体挿入口５に挿入される記憶媒体４から情報を読み出し、その情報に基づいて患者に点滴を行う点滴コントローラ端末中央処理ユニット１ａのプログラムの内容を示すフローチャートである。
【００４１】
Ｓ１１で記憶媒体挿入口５に着脱可能な記憶媒体４が挿入されたことを検知し、Ｓ１２に進み、患者ＩＤ情報と薬剤ＩＤ情報と点滴コントローラＩＤ情報を読み出し、点滴コントローラ端末１の表示部９に表示される。
【００４２】
次にＳ１３に進み、図７に示すようにＩＤ情報媒体読取兼送信装置３９で患者の腕輪３７に取り付けられた患者ＩＤ情報媒体３８を読み取り、図８に示すように薬剤容器１ｂの薬剤ＩＤ情報４２を同じくＩＤ情報媒体読取兼送信装置３９で読み取り、図２の点滴コントローラ端末１に付された点滴コントローラを識別する点滴コントローラＩＤ情報媒体２５を同じくＩＤ情報媒体読取兼送信装置３９で読み取って読み取った情報を点滴コントローラ端末中央処理ユニット１ａに格納する。
【００４３】
Ｓ１４で医師が入力した着脱可能な記憶媒体４に記憶された点滴コントローラ端末ＩＤ情報と、点滴コントローラ端末１に付した点滴コントローラＩＤ情報媒体２５をＩＤ情報媒体読取兼送信装置３８で読み取ったときに両者の点滴コントローラ端末ＩＤ情報が一致しない時は、Ｓ１５に進み、点滴コントローラ端末１は警告表示器８を点灯させる。両者の患者ＩＤ情報が一致する時は、Ｓ１６に進む。
【００４４】
Ｓ１６で医師が入力した着脱可能な記憶媒体４に記憶された患者ＩＤ情報と、患者の腕輪につけたＩＤ情報をＩＤ情報媒体読取兼送信装置３８で読み取ったときに両者の患者ＩＤ情報が一致しない時は、Ｓ１７に進み、点滴コントローラ端末１は警告表示器８を点灯させるとともに医局端末２の医局端末表示部２ＡのＡＬＡＲＭ表示を点滅させ、医局端末２の医局端末表示部２ＡのＡＬＡＲＭ表示を点滅させる。両者の患者ＩＤ情報が一致する時は、Ｓ１８に進む。
【００４５】
Ｓ１８では医師が入力した着脱可能な記憶媒体４に記憶された薬剤ＩＤ情報と、薬剤容器１ｂの薬剤ＩＤ情報を、それぞれのＩＤ情報媒体をＩＤ情報媒体読取兼送信装置３８で読み取った薬剤ＩＤ情報とが一致しないときは、Ｓ１９に進み、点滴コントローラ端末１は警告表示器８を点灯させるとともに医局端末２の医局端末表示部２ＡのＡＬＡＲＭ表示を点滅させ、医局端末２の医局端末表示部２ＡのＡＬＡＲＭ表示を点滅させる。両者の薬剤ＩＤ情報が一致する時は、Ｓ２０に進む。
【００４６】
Ｓ２０に進ませて点滴コントローラ端末の１の点滴開始スイッチ１１をオンさせると、着脱可能な記憶媒体４に格納された点滴情報に基づいた条件で点滴を開始する。
もしＳ２１で示すように異常が発見されたかどうかを判別し、発見された時はＳ２２に進み、警告表示器８を点灯させるとともに医局端末２の医局端末表示部２ＡのＡＬＡＲＭ表示を点滅させ、Ｓ２３に進み点滴を中止する。
【００４７】
異常が発見されなければ、Ｓ２４に進み点滴時間が終了するまで点滴をおこない、点滴時間が経過すると、Ｓ２５に進み点滴を終了する。
【００４８】
Ｓ２１の異常判定は、患者に点滴を行っている状態は、液滴１ｇが滴下するごとに滴数をカウントし、そのカウントごとに点滴コントローラ端末１から医局端末２に送信されるのでカウント値の変化から液滴が規則正しく点滴されているかどうかを知ることができる。これにより点滴間隔が許容範囲を越えた場合に異常であると判断できる。また医局端末２では、「単位液量当たりの滴数」の情報と上記滴数から点滴した液量が算出され、設定された「全点滴量」と「点滴時間」から判断して使った液量が許容範囲内か異常かを判定できる。
【００４９】
図１１は、前述したように異常と判定された場合にも警告信号が発せられない場合、異常と判定された場合で警告信号が発生しても点滴が停止されないとか、そのような場合について説明する。
【００５０】
Ｓ３５で異常が発生し、警告信号を検知したとき、Ｓ３６で所定時間経過後を待ち、Ｓ３７で点滴動作が停止したか否かを判定し、点滴動作が停止していないと判定したときに、Ｓ３８に進む。しかし、医局端末２が操作をしなければＳ３９に進み、所定時間経過後にＳ４０に進み携帯端末７Ａ、７Ｂが操作して、Ｓ４１に進みステップモータ２８ｅを動作させて動作停止させる。
【００５１】
図１２は、点滴コントローラ端末１の記憶媒体挿入口５に着脱可能な記憶媒体４が挿入されたことを検知したときに点滴コントローラ端末1ａに対して点滴情報の設定をマニュアルに設定しようとしても入力を阻止されるフローチャートを示す。
【００５２】
Ｓ４５で、記憶媒体４が記憶媒体挿入口５に装着しているか否かを不図示のスイッチ操作により判定し、記憶媒体４が装着されている時は、Ｓ４６で、点滴コントローラ端末１におけるマニュアルの点滴情報設定、すなわち薬剤の液量をセットする薬剤量セット部材１５、点滴を行う全点滴時間セット部材１６、単位時間当たりの液量セット部材１７、単位液量当たりの滴数セット部材１８を操作して数値が設定されないような、記憶媒体４と接続する接点の導通により点滴端末中央処理ユニット１ａの中に組み込まれているマニュアル入力阻止回路が作動し、マニュアル入力が阻止される。Ｓ４７では、もしも記憶媒体４が記憶媒体挿入口に装着されていなければ、または取り外した場合にはＳ４８に示すように、薬剤量セット部材１５、点滴を行う全点滴時間セット部材１６、単位時間当たりの液量セット部材１７、単位液量当たりの滴数セット部材１８のセットが可能となる。
【００５３】
図１３は、本発明の点滴通信システムの第２実施例に関するフローチャートを示し、医局端末２が設定した点滴に直接関係する点滴情報、薬剤ＩＤ、全液量、全点滴時間、単位時間あたりの液量情報、単位液量あたりの滴数情報等点滴情報が、点滴コントローラ端末１に記憶されたデータベースからみて問題であるかどうかを判断する。問題があれば、医局端末２に送信し、医局端末表示部２ＡのＡＬＡＲＭ表示２Ｂを点滅させる。この判断は医局端末２のエラーを防ぐためにダブルチェックを点滴コントローラ１の側で行うものである。
【００５４】
Ｓ５１で医師が医局端末２を操作して医局端末２に挿入した記憶媒体４に点滴情報を入力して記憶させたのち、記憶媒体４を点滴コントローラ端末１の記憶媒体挿入口５に挿入する。
【００５５】
Ｓ５２では着脱可能な記憶媒体４より点滴コントローラＩＤ、患者ＩＤ、薬剤ＩＤを読み出す。
【００５６】
Ｓ５３で、ＩＤ情報媒体読取兼送信装置兼送信装置３９で点滴コントローラＩＤ情報媒体２５、患者ＩＤ情報媒体３８、薬剤ＩＤ情報媒体４２より患者ＩＤ、薬剤ＩＤ、点滴コントローラＩＤを読み取る。
【００５７】
Ｓ５４で、着脱可能な記憶媒体４より読みだした点滴コントローラＩＤと点滴コントローラＩＤ情報媒体２５をＩＤ情報媒体読取兼送信装置兼送信装置３９で読み取った点滴コントローラＩＤとを比較し、一致しないときはＳ５５に進み、点滴コントローラ端末１に伝達して警告表示器８を点灯させる。一致したときはＳ５６に進む。
【００５８】
Ｓ５６で着脱可能な記憶媒体４より読みだした患者ＩＤ情報と患者の腕輪につけた患者ＩＤ情報媒体３８をＩＤ情報媒体読取兼送信装置兼送信装置３９で読み取ったに患者ＩＤ情報が、一致しないときはＳ５７に進み、点滴コントローラ端末１に伝達して警告表示器８を点灯させる。一致した時は、Ｓ５８に進む。
【００５９】
Ｓ５８で着脱可能な記憶媒体４より読みだした薬剤ＩＤ情報と薬剤容器につけた薬剤ＩＤ情報媒体をＩＤ情報媒体読取兼送信装置兼送信装置３９で読み取ったに薬剤ＩＤ情報が、一致しないときはＳ５９に進み、点滴コントローラ端末１に伝達して警告表示器８を点灯させる。一致した時は、Ｓ６０に進む。
【００６０】
バーコードの代わりにＩＣタグでバーコードの代わりにＩＣタグリーダーを用いてもよい。
【００６１】
Ｓ６０で、医局端末２が設定した、薬剤ＩＤ情報以外の点滴に直接関係する全液量、全点滴時間、単位時間あたりの液量情報、単位液量あたりの滴数情報等の点滴情報が、点滴コントローラ端末１に記憶されたデータベース、例えば、患者の年齢からみて量が多すぎるとか、また２種類の点滴を行う場合に組合せに問題がある等の情報が記憶されたデータベースからみて問題であるかどうかを判断する。問題があればＳ６１に進み、医局端末２に送信する。問題なければＳ６２に進む。
【００６２】
Ｓ６２に進んだあと、点滴コントローラ端末の１Ａの点滴開始スイッチ１１をオンさせると、着脱可能な記憶媒体４に格納された点滴情報に基づいて点滴を開始する。
もしＳ６３で示すように異常が発見された時はＳ６４に進み、警告表示器８を点灯させて、Ｓ６５に進み点滴を中止する。
【００６３】
異常が発見されなければ、Ｓ６６に進み点滴時間が終了するまで点滴をおこない、点滴時間が経過すると、Ｓ６７に進み点滴を終了する。異常発見されても点滴が中止しないときは図１１のフローに従う。
【００６４】
図１４は、本発明の点滴通信システムの第３の実施例を示し、薬品容器１ｂに４４で示す記憶媒体収容部材を付加したものである。記憶媒体４を薬剤容器に付加された記憶媒体収容部材に収容可能とするものである。本発明の点滴通信システムでは着脱可能な記憶媒体４と薬剤容器１ｂとを別々に用意する方法をとっているが、図１４では着脱可能な記憶媒体４を薬剤容器１ｂと一緒に用意する方法で、医師または薬剤師が薬剤容器１ｂと着脱可能な記憶媒体４とをひとまとめにして患者のところに運ぶことにより、患者と薬剤のミスマッチングがなくなる。
【符号の説明】
【００６５】
１・・・・・・・点滴コントローラ端末
１ａ・・・・・・点滴コントローラ端末中央処理ユニット
１ｂ・・・・・・薬剤容器
１ｃ・・・・・・薬剤導入チューブ
１ｄ・・・・・・支柱
１ｅ・・・・・・薬剤容器取付部材
１ｆ・・・・・・接続チューブ
１ｇ・・・・・・点滴筒
１ｈ・・・・・・グリップ
２・・・・・・・医局端末
２Ａ・・・・・・医局端末表示部
２ａ・・・・・・医局端末中央処理ユニット
４・・・・・・・記憶媒体
５・・・・・・・記憶媒体挿入口
６・・・・・・・通信装置通信部
６Ｘ・・・・・・通信装置送信部
６Ｙ・・・・・・通信装置受信部
７・・・・・・・医局端末通信部
７Ｘ・・・・・・医局端末送信部
７Ｙ・・・・・・医局端末受信部
７Ａ・・・・・・携帯端末
７Ａａ・・・・・携帯端末中央処理ユニット
７ＡＸ・・・・・携帯端末送信部
７ＡＹ・・・・・携帯端末受信部
７Ｂ・・・・・・携帯端末
７Ｂａ・・・・・携帯端末中央処理ユニット
７ＢＸ・・・・・携帯端末送信部
７ＢＹ・・・・・携帯端末受信部
８・・・・・・・警告表示器
９・・・・・・・表示部
１０・・・・・・電源スイッチ
１１・・・・・・点滴開始スイッチ
１２・・・・・・リセットスイッチ
１３・・・・・・数値アップスイッチ
１４・・・・・・数値ダウンスイッチ
１５・・・・・・薬剤量セット部材
１６・・・・・・全点滴時間セット部材
１７・・・・・・単位時間当たりの液量セット部材
１８・・・・・・単位液量当たりの滴数セット部材
１９・・・・・・残液量表示動作部材
２０・・・・・・電池残量表示動作部材
２５・・・・・・点滴コントローラ端末ＩＤ情報媒体
２８・・・・・・滴下検出ユニット
３５・・・・・・情報数値入力部材
３７・・・・・・患者の腕輪
３８・・・・・・患者ＩＤ情報媒体
３９・・・・・・ＩＤ情報媒体読取兼送信装置兼送信装置
４２・・・・・・薬剤ＩＤ情報媒体
４４・・・・・・記憶媒体収容部材
【図１】
0005560402.tif 000002
【図２】
0005560402.tif 000003
【図３】
0005560402.tif 000004
【図４】
0005560402.tif 000005
【図５】
0005560402.tif 000006
【図６】
0005560402.tif 000007
【図７】
0005560402.tif 000008
【図８】
0005560402.tif 000009
【図９】
0005560402.tif 000010
【図１０】
0005560402.tif 000011
【図１１】
0005560402.tif 000012
【図１２】
0005560402.tif 000013
【図１３】
0005560402.tif 000014
【図１４】
0005560402.tif 000015
【図１５】
0005560402.tif 000016